(57)【要約】【課題】クロストークが生じることなく、いずれの方向からであっても良好な表示品位の映像を視認することが可能な液晶表示装置を提供する。【解決手段】複数の表示画素ＰＸを有する表示部ＤＹＰを備えた液晶表示パネルＤＰと、液晶表示パネルＤＰを照明する照明手段ＢＬと、液晶表示パネルＤＰと照明手段ＢＬとを制御する制御手段ＣＮＴと、を備えた液晶表示装置であって、表示部ＤＹＰは第１表示領域Ａと第２表示領域Ｂとを備え、照明手段ＢＬは、第１方向に光を出射する第１照明部ＢＬＬと第２方向に光を出射する第２照明部ＢＬＲとを備え、制御手段ＣＮＴは、第１表示領域Ａの表示と同期させて第１照明部ＢＬＬの点消灯を制御し、第２表示領域Ｂの表示と同期させて第２照明部ＢＬＲの点消灯を制御する照明手段制御部１４を有している液晶表示装置。【選択図】    図３
2009163128.tif 000002
【特許請求の範囲】
【請求項１】
複数の表示画素を有する表示部を備えた液晶表示パネルと、
前記液晶表示パネルを照明する照明手段と、
前記液晶表示パネルと前記照明手段とを制御する制御手段と、を備えた液晶表示装置であって、
前記表示部は第１表示領域と第２表示領域とを備え、
前記照明手段は、第１方向に光を出射する第１照明部と第２方向に光を出射する第２照明部とを備え、
前記制御手段は、前記第１表示領域の表示と同期させて前記第１照明部の点消灯を制御し、前記第２表示領域の表示と同期させて前記第２照明部の点消灯を制御する照明手段制御部を有している液晶表示装置。
【請求項２】
前記制御手段は、１フレーム期間内に第１期間と第２期間とを設定し、前記第１期間において前記第１表示領域に配置された表示画素に第１画像を書込み、前記第２期間において前記第２表示領域に配置された表示画素に第２画像を書き込む表示制御部を有している請求項１記載の液晶表示装置。
【請求項３】
前記照明手段制御部は、前記第１期間に前記第１照明部を点灯するとともに前記第２照明部を消灯し、前記第２期間に前記第１照明部を消灯するとともに前記第２照明部を消灯する第１制御部を有している請求項２記載の液晶表示装置。
【請求項４】
前記照明手段制御部は、前記第１照明部を前記第１期間において点灯するとともに前記第２期間において消灯し、前記第２照明部を前記第１期間および前記第２期間において点灯する第２制御部を有している請求項２または請求項３記載の液晶表示装置。
【請求項５】
前記照明手段制御部は、前記第１照明部および前記第２照明部を前記第１期間および前記第２期間において点灯する第３制御部を有している請求項２乃至請求項４のいずれか１項に記載の液晶表示装置。
【請求項６】
前記照明手段制御部は、前記第１期間に前記第１照明部を点灯するとともに前記第２照明部を消灯し、前記第２期間に前記第１照明部を消灯するとともに前記第２照明部を消灯する第１制御部と、
前記第１照明部を前記第１期間において点灯するとともに前記第２期間において消灯し、前記第２照明部を前記第１期間および前記第２期間において点灯する第２制御部と、
前記照明手段制御部は、前記第１照明部および前記第２照明部を前記第１期間および前記第２期間において点灯する第３制御部と、を有し、
前記制御手段は、前記第１乃至前記第３制御部のいずれかを選択して前記第１照明部および前記第２照明部の制御を切替える切替手段を有する請求項２記載の液晶表示装置。
【請求項７】
前記制御手段は、前記第１表示領域および前記第２表示領域の大きさ、配置を変更する変更手段を有している請求項１乃至請求項６のいずれか１項記載の液晶表示装置。
【請求項８】
前記第１表示領域の表示と同期して前記第１照明部が点消灯し、前記第２表示領域の表示と同期して前記第２照明部の点消灯する照明制御ステップと、
１フレーム期間内に第１期間と第２期間とを設定するステップと、
前記第１期間において前記第１表示領域に配置された表示画素に第１画像を書き込むステップと、
前記第２期間において前記第２表示領域に配置された表示画素に第２画像を書き込むステップとを有する液晶表示装置の駆動方法。
【請求項９】
前記照明制御ステップは、前記第１期間に前記第１照明部を点灯するとともに前記第２照明部を消灯し、前記第２期間に前記第１照明部を消灯するとともに前記第２照明部を消灯する第１制御ステップを有する請求項８記載の液晶表示装置の駆動方法。
【請求項１０】
前記照明制御ステップは、前記第１照明部を前記第１期間において点灯するとともに前記第２期間において消灯し、前記第２照明部を前記第１期間および前記第２期間において点灯する第２制御ステップを有する請求項８または請求項９記載の液晶表示装置の駆動方法。
【請求項１１】
前記照明制御ステップは、前記第１照明部および前記第２照明部を前記第１期間および前記第２期間において点灯する第３制御ステップを有する請求項８乃至請求項１０のいずれか１項に記載の液晶表示装置の駆動方法。
【発明の詳細な説明】
【技術分野】
【０００１】
この発明は、液晶表示装置および液晶表示装置の駆動方法に関し、特に時分割駆動方式を採用した液晶表示装置およびその駆動方法に関する。
【背景技術】
【０００２】
液晶表示装置は、軽量、薄型、低消費電力などの特徴を生かして、パーソナルコンピュータ、カーナビゲーションシステム、あるいはテレビ受像機等の表示装置として広く利用されている。
【０００３】
液晶表示装置は、一つの二次元情報を表示するのが通常であるが、それに留まらず、立体表示、あるいは同一画面で同時に複数の画面表示が可能な液晶表示装置が提案されている。例えば、車載用で運転席と助手席とで見える映像が異なる２画面表示装置や、右目用の映像と左目用の映像とをそれぞれ表示することによって立体表示を行う３次元表示装置などが提案されている。
【０００４】
従来、この様な表示を可能にする技術として、視差バリア方式や時分割駆動方式が提案されている（特許文献１および特許文献２参照）。
【特許文献１】特開平１０−１６１０６１号公報
【特許文献２】特開２００４−２５８５９６号公報
【発明の開示】
【発明が解決しようとする課題】
【０００５】
これらの方式を採用した場合には、本来は見えるべきでない他方向の映像が見える場合（クロストーク）や、正面からは両方の映像が混ざって見える場合があった。この様に本来見えるべきでない映像が見える表示装置を実際に車載用として用いた場合には、運転席から本来見えてはいけないＴＶやＤＶＤの映像が運転中に見えるため安全な運転を妨げることとなっていた。
【０００６】
また、表示画面の正面から両方の映像が混ざって見える表示装置を車載用として用いた場合には、後部座席の人は表示画面を正面から見るために２つの混ざった映像が見えてしまうこととなっていた。
【０００７】
本発明は、上記の問題点に鑑みて成されたものであって、クロストークが生じることなく、いずれの方向から見た場合であっても良好な表示品位の映像を視認することが可能な液晶表示装置を提供することを目的とする。
【課題を解決するための手段】
【０００８】
本発明の第１態様による液晶表示装置は、複数の表示画素を有する表示部を備えた液晶表示パネルと、前記液晶表示パネルを照明する照明手段と、前記液晶表示パネルと前記照明手段とを制御する制御手段と、を備えた液晶表示装置であって、前記表示部は第１表示領域と第２表示領域とを備え、前記照明手段は、第１方向に光を出射する第１照明部と第２方向に光を出射する第２照明部とを備え、前記制御手段は、前記第１表示領域の表示と同期させて前記第１照明部の点消灯を制御し、前記第２表示領域の表示と同期させて前記第２照明部の点消灯を制御する照明手段制御部を有している。
【０００９】
本発明の第２態様による液晶表示装置の駆動方法は、前記第１表示領域の表示と同期して前記第１照明部が点消灯し、前記第２表示領域の表示と同期して前記第２照明部の点消灯する照明制御ステップと、１フレーム期間内に第１期間と第２期間とを設定するステップと、前記第１期間において前記第１表示領域に配置された表示画素に第１画像を表示させるステップと、前記第２期間において前記第２表示領域に配置された表示画素に第２画像を表示させるステップとを有する。
【発明の効果】
【００１０】
この発明によれば、クロストークが生じることなく、いずれの方向から見た場合であっても良好な表示品位の映像を視認することが可能な液晶表示装置を提供することができる。
【発明を実施するための最良の形態】
【００１１】
以下、本発明の第１実施形態に係る液晶表示装置について図面を参照して説明する。図１に示すように、本実施形態に係る液晶表示装置では、透過型の液晶表示パネルＤＰと、液晶表示パネルＤＰの背面側に配置されたバックライトＢＬと、液晶表示パネルＤＰとバックライトＢＬとを制御する表示制御回路ＣＮＴと、を備えている。
【００１２】
液晶表示パネルＤＰは、一対の電極基板であるアレイ基板１および対向基板２と、アレイ基板１と対向基板２との間に挟持された液晶層３を有している。液晶層３は、例えばノーマリホワイトの表示動作のために予めスプレイ配向からベンド配向に転移されると共にベンド配向からスプレイ配向への逆転移が印加される電圧により阻止される液晶を液晶材料として含む。本実施形態に係る液晶表示装置では、液晶の逆転移を防止するための電圧として黒画像に対応する画素電圧を液晶層に印加している。
【００１３】
アレイ基板１は、透明絶縁基板（図示せず）に画素電極ＰＥ及び配向膜（図示せず）が積層して形成されている。対向基板２は、透明絶縁基板（図示せず）に共通電極ＣＥ及び配向膜（図示せず）が順に積層形成されて構成されている。アレイ基板１と対向基板２とは、画素電極ＰＥと共通電極ＣＥとが対向するように配置されている。アレイ基板１の配向膜と対向基板２の配向膜とには、ラビング方向が互いに略平行な方向となるようにラビング処理が施されている。
【００１４】
アレイ基板１では、複数の画素電極ＰＥが透明絶縁基板上において略マトリクス状に配置される。また、複数のゲート線Ｙ（Ｙ１〜Ｙｍ）が複数の画素電極ＰＥの行に沿って配置され、複数のソース線Ｘ（Ｘ１〜Ｘｎ）が複数の画素電極ＰＥの列に沿って配置される。
【００１５】
これらゲート線Ｙおよびソース線Ｘの交差位置近傍には、複数の画素スイッチング素子Ｗが配置される。各画素スイッチング素子Ｗは例えばゲートがゲート線Ｙに接続され、ソース−ドレインパスがソース線Ｘおよび画素電極ＰＥ間に接続される薄膜トランジスタからなり、対応ゲート線Ｙを介して駆動されたときに対応ソース線Ｘおよび対応画素電極ＰＥ間で導通する。
【００１６】
各画素電極ＰＥおよび共通電極ＣＥは例えばＩＴＯ等の透明電極材料からなり、それぞれ配向膜で覆われ、画素電極ＰＥおよび共通電極ＣＥからの電界に対応した液晶分子配列に制御される液晶層３の一部である画素領域と共に表示画素ＰＸを構成する。
【００１７】
複数の表示画素ＰＸは各々画素電極ＰＥおよび共通電極ＣＥ間に液晶容量ＣＬＣを有する。複数の補助容量線Ｃ１〜Ｃｍは各々対応行の表示画素ＰＸの画素電極ＰＥに容量結合して補助容量Ｃｓを構成する。補助容量Ｃｓは画素スイッチング素子Ｗの寄生容量に対して十分大きな容量値を有する。
【００１８】
表示制御回路ＣＮＴは、アレイ基板１および対向基板２から液晶層３に印加される液晶駆動電圧により液晶表示パネルＤＰの透過率を制御する。液晶のスプレイ配向からベンド配向への転移は電源投入時に表示制御回路ＣＮＴにより行われる所定の初期化処理で比較的大きな電界を液晶に印加することにより得られる。
【００１９】
表示制御回路ＣＮＴは、ゲートドライバＹＤ、ソースドライバＸＤ、バックライト駆動部ＬＤ、駆動用電圧発生回路４、およびコントローラ回路５を備える。ゲートドライバＹＤは、複数の画素スイッチング素子Ｗを行単位に導通させるように複数のゲート線Ｙ１〜Ｙｍを順次駆動する。ソースドライバＸＤは、各行の画素スイッチング素子Ｗが対応ゲート線Ｙの駆動によって導通する期間において画素電圧Ｖsを複数のソース線Ｘ１〜Ｘｎにそれぞれ出力する。
【００２０】
バックライト駆動部ＬＤは、バックライトＢＬを駆動する。駆動用電圧発生回路４は、液晶表示パネルＤＰの駆動用電圧を発生する。駆動用電圧発生回路４は、補助容量線Ｃに印加される補償電圧Ｖeを発生する補償電圧発生回路６、ソースドライバＸＤによって用いられる所定数の階調基準電圧ＶＲＥＦを発生する階調基準電圧発生回路７、および共通電極ＣＥに印加されるコモン電圧Ｖcomを発生するコモン電圧発生回路８を含む。
【００２１】
コントローラ回路５は、ゲートドライバＹＤ、ソースドライバＸＤおよびバックライト駆動部ＬＤを制御する。コントローラ回路５は、制御回路１０、垂直タイミング制御回路１１、水平タイミング制御回路１２、画像データ変換回路１７、およびバックライト制御回路１４を含む。制御回路１０は、外部信号源ＳＳから入力される同期信号ＳＹＮＣ’に基づいて新たな同期信号ＳＹＮＣを生成するとともに、表示制御回路ＣＮＴ各部の動作を制御する信号を生成する。
【００２２】
垂直タイミング制御回路１１は、制御回路１０から入力される同期信号ＳＹＮＣに基づいてゲートドライバＹＤなどに対する制御信号ＣＴＹを発生する。制御信号ＣＴＹは、例えば垂直同期信号ＶＳＹＮＣとクロック信号ＶＣＬＫとを含む。水平タイミング制御回路１２は、制御回路１０から入力される同期信号ＳＹＮＣに基づいてソースドライバＸＤに対する制御信号ＣＴＸを発生する。制御信号ＣＹＸは、例えば水平同期信号ＨＳＹＮＣとクロック信号ＨＣＬＫを含む。
【００２３】
画像データ変換回路１７は、複数の表示画素ＰＸに対して外部信号源ＳＳから入力される画像データＤＩを一時保存するフレームメモリ（図示せず）を有すると共に、画像データＤＩから生成される画素データＤＯを所定タイミングでソースドライバＸＤに出力する。バックライト制御回路１４は、垂直タイミング制御回路１１から出力される制御信号ＣＴＹに基づいてバックライト駆動部ＬＤを制御する。
【００２４】
本実施形態に係る液晶表示装置では、画像データＤＩは左画像データ、および、右画像データを含む。画像データＤＩは複数の表示画素ＰＸに対する複数の画素データからなる。画像データ変換回路１７に入力された左画像データおよび右画像データは、それぞれ画像データ変換回路内のフレームメモリに一時保存され、画像データ変換回路１７において画素データＤＯに変換される。本実施形態に係る液晶表示装置では、画素データＤＯは黒画像表示用の画素データＤＯＢ、第１画像表示用の画素データＤＯＬ、あるいは、第２画像表示用画素データＤＯＲである。
【００２５】
例えば、画像データＤＩを第１画像表示用の画素データＤＯＬに変換する場合には、画像データＤＩの左画像データと、黒画像に対応した画素データとを組み合わせて第１画素データＤＯＬに変換する。画像データＤＩを第２画像表示用画素データＤＯＲに変換する場合には、画像データＤＩの右画像データと、黒画像に対応した画素データとを組み合わせて第２画像表示用画素データＤＯＲに変換する。このように変換された画素データＤＯは、制御信号ＣＴＸと共にソースドライバＸＤに供給される。
【００２６】
制御信号ＣＴＹは、上述のように順次複数のゲート線Ｙを駆動する動作をゲートドライバＹＤに行わせるために用いられる。制御信号ＣＴＸは、画像データ変換回路１７の表示画素ＰＸ単位に得られ直列に出力される画素データＤＯを複数のソース線Ｘにそれぞれ割り当てると共に出力極性を指定する動作をソースドライバＸＤに行わせるために用いられる。
【００２７】
ゲートドライバＹＤはゲート線Ｙを選択するために例えばシフトレジスタ回路（図示せず）を用いて構成される。ソースドライバＸＤは階調基準電圧発生回路７から供給される所定数の階調基準電圧ＶＲＥＦを参照してこれら画素データＤＯをそれぞれ画素電圧Ｖsに変換し、複数のソース線Ｘ１〜Ｘｎに並列的に出力する。
【００２８】
画素電圧Ｖsは共通電極ＣＥのコモン電圧Ｖcomを基準として画素電極ＰＥに印加される電圧であり、例えばフレーム反転駆動およびライン反転駆動を行うようコモン電圧Ｖcomに対してフレーム毎およびライン毎に極性反転される。
【００２９】
ゲートドライバＹＤが、例えばゲート線Ｙ１をオン電圧により駆動してこのゲート線Ｙ１に接続された全ての画素スイッチング素子Ｗを導通させると、ソース線Ｘ１〜Ｘｎ上の画素電圧Ｖsがこれら画素スイッチング素子Ｗをそれぞれ介して対応画素電極ＰＥおよび補助容量Ｃｓの一端に供給される。
【００３０】
また、ゲートドライバＹＤはこのゲート線Ｙ１に対応した補助容量線Ｃ１に補償電圧発生回路６からの補償電圧Ｖｅを出力する。補償電圧Ｖｅによって、画素スイッチング素子Ｗが非導通になったときに、寄生容量によって画素電極ＰＥから引き抜かれる電荷による画素電圧Ｖsの変動、すなわち突き抜け電圧が実質的にキャンセルされる。
【００３１】
図２に示すように、ソースドライバＸＤは、シフトレジスタ２１、サンプリング・ロードラッチ２２、デジタルアナログ（Ｄ／Ａ）変換回路２３、および出力バッファ回路２４を含む。
【００３２】
制御信号ＣＴＸには、水平同期信号ＨＳＹＮＣ、一行分の画素データの取り込み開始タイミングを制御する水平スタート信号ＳＴＨ、および、シフトレジスタ２１において水平スタート信号ＳＴＨをシフトさせる水平クロック信号ＨＣＬＫが含まれている。
【００３３】
シフトレジスタ２１は、水平スタート信号ＳＴＨを水平クロック信号ＣＫＨに同期してシフトし、画素データＤＯを順次直並列変換するタイミングを制御する。サンプリング・ロードラッチ２２は、シフトレジスタ２１の制御により１ライン分の表示画素ＰＸに対する画素データＤＯを順次ラッチし、並列的に出力する。Ｄ／Ａ変換回路２３は、画素データＤＯをアナログ形式の画素電圧Ｖｓに変換する。出力バッファ回路２４は、Ｄ／Ａ変換回路２３から得られるアナログ画素電圧Ｖｓをソース線Ｘ１〜Ｘｎに出力する。Ｄ／Ａ変換回路２３は、階調基準電圧発生回路７から発生される複数の階調基準電圧ＶＲＥＦを参照するように構成される。
【００３４】
バックライトＢＬは、図３に示すように、光源ＬＲと、光源ＬＲから出射された光を導く導光体ＬＧＲとを有する第１バックライトＢＬＲ、および、光源ＬＬと光源ＬＬから出射された光を導く導光体ＬＧＬとを有する第２バックライトＢＬＬを備えている。
【００３５】
ここで、光源ＬＲをオンしたときは、光源ＬＲから出射された光は導光体ＬＧＲによって図の右方向に導かれる。光源ＬＲから出射された光は液晶表示パネルＤＰを透過して液晶表示パネルの正面および正面よりも右側から視認することができる。光源ＬＬをオンしたときは、光源ＬＬから出射された光は導光体ＬＧＬによって図の左方向に導かれる。光源ＬＬから出射された光は液晶表示パネルＤＰを透過して液晶表示パネルの正面および正面よりも左側から視認することができる。
【００３６】
次に、本実施形態における液晶表示装置の駆動方法を説明する。図４に示すように、本実施形態に係る液晶表示装置では、表示部ＤＹＰが左画像表示領域Ａと右画像表示領域Ｂとを有している。１フレーム期間は第１期間と第２期間とを有している。
【００３７】
本実施形態に係る液晶表示装置の場合、第１期間は第１画像表示用の画素電圧Ｖｓの書込みが開始されてから、第２画像表示用の画素電圧Ｖｓの書込みが開始されるまでの略１／２期間である。第２期間は第２画像表示用の画素電圧Ｖｓの書込みが開始されてから、第１画像表示用の画素電圧Ｖｓの書込みが開始されるまでの略１／２期間である。
【００３８】
すなわち、第１期間において左画像に対応する画素電圧Ｖｓが各表示画素ＰＸに書き込まれ、第２期間において右画像に対応する画素電圧Ｖｓが各表示画素ＰＸに書き込まれる。詳しくは、第１期間における左画像は、表示画面の左半分の左画像表示領域Ａに映像画像が表示され、表示画面の右半分の右画像表示領域Ｂに黒画像が表示されるものである。また、第２期間における右画像は、第１期間と異なり、左画像表示領域Ａに黒画像が表示され、右画像表示領域Ｂに映像画像が表示されるものである。また、必要に応じて、１フレーム期間内の一定時間、黒画像に対応する画素電圧Ｖｓが表示画素ＰＸに供給される。
【００３９】
制御信号ＣＴＹは、垂直クロック信号ＶＣＬＫ、垂直同期信号ＶＳＹＮＣ、およびスタート信号ＳＴＶ等を含む。スタート信号ＳＴＶは、画像表示が開始されるタイミングを制御する。垂直クロック信号ＶＣＬＫは、シフトレジスタ回路（図示せず）においてスタート信号ＳＴＶをシフトさせる。
【００４０】
まず、右画像の表示動作について説明する。本実施形態に係る液晶表示装置では、１フレーム期間の１／４期間において、第１画像表示用の画素電圧Ｖｓを表示画素ＰＸに書き込む。すなわち、ゲートドライバＹＤは制御信号ＣＴＹの制御により１フレーム期間の略１／４期間においてゲート線Ｙ１〜Ｙｍを順次選択する。すなわち、ゲートドライバＹＤは、各行の画素スイッチング素子Ｗを１水平走査期間だけ導通させる駆動信号としてオン電圧を選択ゲート線Ｙに供給する。
【００４１】
コントローラ回路５の画像データ変換回路１７では、１行分の入力画素データＤＩの１行分が第２画像表示用の画素データＤＯＲの１行分に変換される。この第２画像表示用画素データＤＯＲの１行分は、表示部ＤＹＰの左画像表示領域Ａに配置された表示画素ＰＸに対応する黒画像表示用の画素データと、表示部ＤＹＰの右画像表示領域Ｂに配置された表示画素ＰＸに対応する右画像表示用の画素データとから成る。第２画像表示用画素データＤＯＲの１行分は画像データ変換回路１７からソースドライバＸＤに直列に出力される。
【００４２】
階調基準電圧発生回路７は、階調基準電圧ＶＲＥＦを出力する。ソースドライバＸＤは上述の階調基準電圧発生回路７から供給される所定数の階調基準電圧ＶＲＥＦを参照して第２画像表示用の画素データＤＯＲをそれぞれ画素電圧Ｖsに変換し、複数のソース線Ｘ１〜Ｘｎに並列的に出力する。
【００４３】
このように、表示画素ＰＸに順次画素電圧Ｖｓの書込みを行うと右画像表示領域Ｂにおける表示画素ＰＸに対応するソース線Ｘには右画像に対応する画素電圧Ｖｓが印加され、左画像表示領域Ａにおける表示画素ＰＸに対応するソース線Ｘには、黒画像に対応した画素電圧Ｖｓが印加される。
【００４４】
本実施形態に係る液晶表示装置では、続く１フレーム期間の略１／４期間において、黒画像に対応する画素電圧Ｖｓを全表示画素ＰＸに書き込んでいる。すなわち、この略１／４期間において、ゲートドライバＹＤは制御信号ＣＴＹの制御によりゲート線Ｙ１〜Ｙｍを順次選択し、各行の画素スイッチング素子Ｗを１水平走査期間だけ導通させる駆動信号としてオン電圧を選択ゲート線Ｙに供給する。
【００４５】
コントローラ回路５の画像データ変換回路１７では、黒画像表示用画素データＤＯＢの１行分が形成される。この黒画像表示用画素データＤＯＢの１行分は画像データ変換回路１７からソースドライバＸＤに直列に出力される。階調基準電圧発生回路７は、階調基準電圧ＶＲＥＦを引き続き出力する。ソースドライバＸＤは上述の階調基準電圧発生回路７から供給される所定数の階調基準電圧ＶＲＥＦを参照して黒画像表示用画素データＤＯＢをそれぞれ画素電圧Ｖsに変換し、複数のソース線Ｘ１〜Ｘｎに並列的に出力する。
【００４６】
このように、表示画素ＰＸに画素電圧Ｖｓの書込みを行うと、右画像表示領域Ｂにおける表示画素ＰＸに対応するソース線Ｘおよび、左画像表示領域Ａにおける表示画素ＰＸに対応するソース線Ｘには、それぞれ黒画像に対応した画素電圧Ｖｓが印加される。
【００４７】
この右画像書込み動作に合わせて制御回路１０は、所定タイミングでバックライト制御回路１４に点消灯信号を出力する。バックライト制御回路１４は、バックライト駆動部ＬＤを駆動してバックライトＢＬＲの点灯タイミングと消灯タイミングとを制御する。
【００４８】
図４に示す場合では、バックライト制御回路１４は、第２画像表示用の画素電圧の書込みが開始されてから第１画像表示用の画素電圧の書込みが開始されるまでの１フレーム期間の略１／２期間バックライトＢＬＲが点灯するようにバックライトＢＬＲを制御する。
【００４９】
続いて、左画像の表示動作について説明する。ゲートドライバＹＤは制御信号ＣＴＹの制御により１フレーム期間の略１／４期間においてゲート線Ｙ１〜Ｙｍを順次選択し、各行の画素スイッチング素子Ｗを１水平走査期間だけ導通させる駆動信号としてオン電圧を選択ゲート線Ｙに供給する。
【００５０】
コントローラ回路５の画像データ変換回路１７では、入力画素データＤＩの１行分が第１画像表示用の画素データＤＯＬの１行分に変換される。この第１画像表示用の画素データＤＯＬは、表示部ＤＹＰの左画像表示領域Ａに配置された表示画素ＰＸに対応する左画像表示用の画素データと、表示部ＤＹＰの右画像表示領域Ｂに配置された表示画素ＰＸに対応する黒表示用の画素データとから成る。１行分の第１画像表示用の画素データＤＯＬは画像データ変換回路１７から直列に出力される。
【００５１】
階調基準電圧発生回路７は、階調基準電圧ＶＲＥＦを出力する。ソースドライバＸＤは上述の階調基準電圧発生回路７から供給される所定数の階調基準電圧ＶＲＥＦを参照してこれら画素データＤＯＬをそれぞれ画素電圧Ｖsに変換し、複数のソース線Ｘ１〜Ｘｎに並列的に出力する。
【００５２】
このように、表示画素ＰＸに画素電圧Ｖｓの書込みを行うと、右画像表示領域Ｂにおける表示画素ＰＸには黒画像に対応する画素電圧Ｖｓが書き込まれ、左画像表示領域Ａにおける表示画素ＰＸには、左画像に対応した画素電圧Ｖｓが書き込まれる。
【００５３】
続く１フレーム期間の略１／４期間において、ゲートドライバＹＤは制御信号ＣＴＹの制御によりゲート線Ｙ１〜Ｙｍを順次選択し、各行の画素スイッチング素子Ｗを１水平走査期間だけ導通させる駆動信号としてオン電圧を選択ゲート線Ｙに供給する。
【００５４】
コントローラ回路５の画像データ変換回路１７では、黒表示用画素データＤＯＢの１行分が形成される。１行分の黒表示用画素データＤＯＢは画像データ変換回路１７から直列に出力される。
【００５５】
階調基準電圧発生回路７は、階調基準電圧ＶＲＥＦを出力する。ソースドライバＸＤは上述の階調基準電圧発生回路７から供給される所定数の階調基準電圧ＶＲＥＦを参照してこれら画素データＤＯＢをそれぞれ画素電圧Ｖsに変換し、複数のソース線Ｘ１〜Ｘｎに並列的に出力する。
【００５６】
このように、表示画素ＰＸに画素電圧Ｖｓの書込みを行うと、右画像表示領域Ｂにおける表示画素ＰＸ、および、左画像表示領域Ａにおける表示画素ＰＸに、黒画像に対応した画素電圧Ｖｓが書き込まれる。
【００５７】
この左画像書込み動作に合わせて制御回路１０は、所定タイミングでバックライト制御回路１４に点消灯信号を出力する。バックライト制御回路１４は、制御回路１０からの点消灯信号に応じて、バックライト駆動部ＬＤを駆動してバックライトＢＬＬの点灯タイミングと消灯タイミングとを制御する。図４に示す場合では、第１画像表示用の画素電圧Ｖｓの書込みが開始されてから第２画像表示用の画素電圧Ｖｓの書込みが開始されるまでの１フレーム期間の略１／２期間、バックライトＢＬＬが点灯するようにバックライトＢＬＬを制御する。
【００５８】
上記のように液晶表示装置を駆動すると、図４に示すように、左側から液晶表示装置を見た場合には左画像が表示部ＤＹＰの左画像表示領域Ａに表示され、右画像表示領域Ｂには黒画像が表示されているように視認される。右側から液晶表示装置を見た場合には、右画像が表示部ＤＹＰの右画像表示領域Ｂに表示され、左画像表示領域Ａは黒画像が表示されているように視認される。正面から液晶表示装置を見た場合には、左画像が表示部ＤＹＰの左画像表示領域Ａに表示され、右画像が右画像表示領域Ｂに表示されているように視認される。
【００５９】
したがって、上記のような本実施形態に係る液晶表示装置によれば、右画像と左画像とが互いに重なることが無く、正面から液晶表示装置をみた場合には右画像と左画像との２つの映像が混ざらず共に認識できる。また、従来のＯＣＢモードの液晶表示装置に時分割駆動方式を採用した場合と比べて、駆動周波数を下げることができ、透過率も向上できる。
【００６０】
上述した実施形態では、１フレーム期間の略１／４期間において、黒画像に対応する画素電圧Ｖｓを全表示画素ＰＸに書き込む構成としたが、書き込み速度を倍速とする、あるいは全行に対して一括して書き込んでもかまわない。これにより、画像表示に係る時間開口率をより向上させることができる。
【００６１】
次に、本発明の第２実施形態に係る液晶表示装置について図面を参照して説明する。なお、以下の説明において上述の第１実施形態に係る液晶表示装置と同様の構成については同一の符号を付して説明を省略する。
【００６２】
本実施形態に係る液晶表示装置の構成は上述の第１実施形態に係る液晶表示装置と同様である。すなわち、液晶表示装置は、透過型の液晶表示パネルＤＰと、液晶表示パネルＤＰの背面側に配置されたバックライトＢＬと、液晶表示パネルＤＰとバックライトＢＬとを制御する表示制御回路ＣＮＴと、を備えている。
【００６３】
本実施形態に係る液晶表示装置の駆動方法について以下に説明する。図５に示すように、本実施形態に係る液晶表示装置では、バックライトＢＬＬの光源ＬＬが常にオンとなっている。
【００６４】
したがって、本実施形態に係る液晶表示装置を図５に示すように、左側から見た場合には左画像が表示部ＤＹＰの左画像表示領域Ａに表示され、右画像が表示部ＤＹＰの右画像表示領域Ｂに表示されているように視認される。右側から液晶表示装置を見た場合には、右画像が表示部ＤＹＰの右画像表示領域Ｂに表示され、左画像表示領域Ａは黒画像が表示されているように視認される。正面から液晶表示装置を見た場合には、左画像が表示部ＤＹＰの左画像表示領域Ａに表示され、右画像が右画像表示領域Ｂに表示されているように視認される。
【００６５】
上記のように、駆動した場合であっても、右画像と左画像とが互いに重なることが無く、正面から液晶表示装置をみた場合には右画像と左画像との２つの映像が混ざらず共に認識できる。したがって、本実施形態に係る液晶表示装置によれば、上述の第1実施形態に係る液晶表示装置と同様の効果が得られる。
【００６６】
次に、本発明の第３実施形態に係る液晶表示装置について図面を参照して以下に説明する。本実施形態に係る液晶表示装置の構成は、上述の第１実施形態に係る液晶表示装置と同様である。すなわち、液晶表示装置は、透過型の液晶表示パネルＤＰと、液晶表示パネルＤＰの背面側に配置されたバックライトＢＬと、液晶表示パネルＤＰとバックライトＢＬとを制御する表示制御回路ＣＮＴと、を備えている。
【００６７】
次に、本実施形態の液晶表示装置の駆動方法を説明する。図６に示すように１フレーム期間は第１期間と第２期間とを有している。本実施形態に係る液晶表示装置の場合、第１期間は第１画像表示用の画素電圧Ｖｓの書込みが開始されてから、第２画像表示用の画素電圧Ｖｓの書込みが開始されるまでの略１／２期間である。第２期間は第２画像表示用の画素電圧Ｖｓの書込みが開始されてから、第１画像表示用の画素電圧Ｖｓの書込みが開始されるまでの略１／２期間である。
【００６８】
まず、右画像の表示動作について説明する。ゲートドライバＹＤは制御信号ＣＴＹの制御により第２期間においてゲート線Ｙ１〜Ｙｍを順次選択し、各行の画素スイッチング素子Ｗを１水平走査期間だけ導通させる駆動信号としてオン電圧を選択ゲート線Ｙに供給する。
【００６９】
コントローラ回路５の画像データ変換回路１７では、入力画素データＤＩの１行分が第２像表示用画素データＤＯＲの１行分に変換される。第２画像表示用画素データＤＯＲの１行分は画像データ変換回路１７から直列に出力される。
【００７０】
階調基準電圧発生回路７は、階調基準電圧ＶＲＥＦを出力する。ソースドライバＸＤは上述の階調基準電圧発生回路７から供給される所定数の階調基準電圧ＶＲＥＦを参照してこれら画素データＤＯＲをそれぞれ画素電圧Ｖsに変換し、複数のソース線Ｘ１〜Ｘｎに並列的に出力する。
【００７１】
このように、表示画素ＰＸに画素電圧Ｖｓの書込みを行う。そうすると、右画像表示領域Ｂにおける表示画素ＰＸには右画像に対応する画素電圧Ｖｓが書き込まれ、左画像表示領域Ａにおける表示画素ＰＸには、黒画像に対応した画素電圧Ｖｓが書き込まれる。
【００７２】
続いて、左画像の表示動作について説明する。ゲートドライバＹＤは制御信号ＣＴＹの制御により第１期間においてゲート線Ｙ１〜Ｙｍを順次選択し、各行の画素スイッチング素子Ｗを１水平走査期間だけ導通させる駆動信号としてオン電圧を選択ゲート線Ｙに供給する。
【００７３】
コントローラ回路５の画像データ変換回路１７では、入力画素データＤＩの１行分が第１画像表示用画素データＤＯＬの１行分に変換される。第１画像表示用画素データＤＯＬの１行分は画像データ変換回路１７から直列に出力される。
【００７４】
階調基準電圧発生回路７は、階調基準電圧ＶＲＥＦを出力する。ソースドライバＸＤは上述の階調基準電圧発生回路７から供給される所定数の階調基準電圧ＶＲＥＦを参照してこれら画素データＤＯＬをそれぞれ画素電圧Ｖsに変換し、複数のソース線Ｘ１〜Ｘｎに並列的に出力する。
【００７５】
このように、表示画素ＰＸに画素電圧Ｖｓの書込みを行う。そうすると、左画像表示領域Ａにおける表示画素ＰＸには左画像に対応した画素電圧Ｖｓが書き込まれ、右画像表示領域Ｂにおける表示画素ＰＸには、黒画像に対応した画素電圧Ｖｓが書き込まれる。
【００７６】
図６に示すように、本実施形態に係る液晶表示装置では、バックライトＢＬＲの光源ＬＲおよびバックライトＢＬＬの光源ＬＬが常にオンとなっている。したがって、図６に示すように、本実施形態に係る液晶表示装置は左側、右側、および正面のいずれの方向から表示部を見た場合であっても、左画像が表示部ＤＹＰの左画像表示領域Ａに表示され、右画像が右画像表示領域Ｂに表示されているように視認される。
【００７７】
上記のように駆動した場合であっても、右画像と左画像とが互いに重なることが無く、正面から液晶表示装置をみた場合には右画像と左画像との２つの映像が混ざらず両方の画像を共に認識できる。したがって、本実施形態に係る液晶表示装置によれば、上述の第1実施形態に係る液晶表示装置と同様の効果が得られる。
【００７８】
なお、この発明は、上記実施形態そのままに限定されるものではなく、実施段階ではその要旨を逸脱しない範囲で構成要素を変形して具体化できる。例えば、コントローラ回路５は、バックライトＢＬＲ、ＢＬＬを交互に点灯させる場合と、バックライトＢＬＲ、ＢＬＬとの一方を点滅させ他方を常に点灯させる場合と、バックライトＢＬＲ、ＢＬＬの両方を常に点灯させる場合とを切替可能な手段を有していても良い。
【００７９】
このような切替手段を有する場合には、上記の実施形態に係る液晶表示装置と同様の効果が得られるとともに、例えば液晶表示装置を使用用途、使用人数、使用場所等に応じて右側、左側、正面の表示状態を切替えることが可能となる。
【００８０】
また、上述の第１乃至第３実施形態に係る液晶表示装置では、表示部ＤＹＰに図７(ａ)に示すような大きさおよび配置の左画像表示領域Ａと右画像表示領域Ｂとを設定したが、図７(ｂ)乃至(ｅ)に示すような大きさおよび配置の左画像表示領域Ａと右画像表示領域Ｂを設定してもよい。さらに、図７(ａ)乃至(ｅ)に示すような左画像表示領域Ａと右画像表示領域Ｂとの大きさおよび配置の設定を選択可能な手段を有していても良い。
【００８１】
さらに、この左画像表示領域Ａと右画像表示領域Ｂとの大きさおよび配置の設定は、左画像および右画像に応じて自動的に選択されるものであっても良く、液晶表示装置の使用場所、使用用途等に応じてユーザによって選択可能なものであっても良い。いずれの場合であっても、上述の第１乃至第３実施形態に係る液晶表示装置と同様の効果を得ることができる。
【００８２】
また、上述の第１および第２実施形態に係る液晶表示装置では、例えば第２期間において右画像表示領域Ｂに右画像書込みおよび黒画像書込みを行うと同時に、左画像表示領域Ａについても黒画像書込みを行っている。しかし、第２期間では左画像表示領域Ａに黒画像書込みを行わずに既に書き込まれた黒画像を保持する期間としても良い。
【００８３】
例えば、第２期間において、右画像表示領域Ｂに配置された信号線Ｘのみに右画像に対応した画素電圧Ｖｓを印加し、その後右画像表示領域Ｂに配置された信号線Ｘのみに黒画像に対応した画素電圧Ｖｓを印加する。そして、続く第１期間では、右画像表示領域Ｂに配置された表示画素ＰＸでは第２期間に印加された黒画像に対応した画素電圧Ｖｓを保持させる。
【００８４】
同様に、第１期間において、右画像表示領域Ｂについても左画像表示領域Ａに映像書込みおよび黒書込みを行うと同時に黒画像書込みを行っているが、第１期間では右画像表示領域Ｂに黒画像書込みを行わずに既に書き込まれた黒画像を保持する期間としても良い。このように駆動した場合であっても、上述の第１および第２実施形態に係る液晶表示装置と同様の効果を得ることができる。
【００８５】
さらに、上記の実施形態に係る液晶表示では、コントローラ回路５の画像データ変換回路１７で画像データＤＩを画素データＤＯ（第１画像表示用画素データＤＯＬ、第２画像表示用画素データＤＯＲ、あるいは黒画像表示用画素データＤＯＢ）に変換していたが、画像データＤＩを外部で画素データＤＯに変換し、変換された画素データＤＯがコントローラ回路５に入力されるようにしても良い。その場合であっても上述の実施形態に係る液晶表示装置と同様の効果を得ることができる。
【００８６】
また、上記の第１実施形態および第２実施形態に係る液晶表示装置では、右画像書込みおよび左画像書込みの後に、黒画像書込みを行っているが、黒画像書込みを行わなくても良い。その場合であっても、上述の第１実施形態および第２実施形態に係る液晶表示装置と同様の効果を得ることが出来る。
【００８７】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００８８】
【図１】本実施形態の一実施形態に係る液晶表示装置の一構成例について説明するための図。
【図２】図１に示す液晶表示装置のソースドライバの一構成例について説明するための図。
【図３】図１に示す液晶表示装置のバックライトの一構成例について説明するための図。
【図４】図１に示す液晶表示装置の駆動方法の第一例について説明するための図。
【図５】図１に示す液晶表示装置の駆動方法の第二例について説明するための図。
【図６】図１に示す液晶表示装置の駆動方法の第三例について説明するための図。
【図７】図１に示す液晶表示装置の右側画像と左側画像との表示領域の配置のバリエーションを説明するための図。
【符号の説明】
【００８９】
ＤＰ…液晶表示パネル、ＢＬ…バックライト（照明手段）、ＣＮＴ…表示制御回路（制御手段）、ＢＬＬ…バックライト（第１照明部）、ＢＬＲ…バックライト（第２照明部）、ＤＹＰ…表示部、Ａ…左画像表示領域（第１表示領域）、Ｂ…右画像表示領域（第２表示領域）、ＰＸ…表示画素、１４…バックライト制御回路。
【図１】
2009163128.tif 000003
【図２】
2009163128.tif 000004
【図３】
2009163128.tif 000005
【図４】
2009163128.tif 000006
【図５】
2009163128.tif 000007
【図６】
2009163128.tif 000008
【図７】
2009163128.tif 000009